(57)【要約】【課題】釣糸を切断することなく容易且つ迅速に交換することができる釣用ウキの提供。【解決手段】この釣用ウキ１４は、ウキ本体２０と、嵌合軸２１とを備える。釣糸は嵌合軸２１の釣糸挿通孔２３に挿通される。嵌合軸２１は、ウキ本体２０の貫通孔２２に挿脱される。嵌合軸２１は、係止リブ２６及び突片３３を備えている。ウキ本体２０の内部に、凹部４２及び係合凹部４３が設けられている。係止リブ２６は凹部４２と係合し、突片３３は係合凹部４３と係合する。嵌合軸２１が回動されることにより、係止リブ２６と凹部４２とが嵌合し、突片３３と係合凹部４３とが嵌合する。【選択図】図２
2008125473.tif 000002
【特許請求の範囲】
【請求項１】
外周面と、中心を貫くように軸方向に沿って形成された貫通孔と、上記軸方向に延びると共に上記外周面から径方向に沿って上記貫通孔に連通するように切り込まれたスリットとを有するウキ本体、及び
中心を貫くように軸方向に沿って形成された釣糸挿通孔を有し、上記ウキ本体の貫通孔に下方から挿脱される筒状嵌合軸を備え、
当該筒状嵌合軸は、
上記貫通孔に嵌め合わされる主円筒部と、
当該主円筒部の下端に連続し、当該主円筒部が上記貫通孔に嵌め合わされた状態で上記ウキ本体の下端から突出すると共に釣人が指で容易に把持することができるように成形された摘み部と、
上記主円筒部に径方向に突出するように設けられ、当該主円筒部が上記貫通孔に嵌め合わされたときに上記スリットにスライド可能な状態で挿入される係止リブとを有し、
上記ウキ本体は、
上記貫通孔及び上記スリットに連続して当該貫通孔から径方向に延び且つ当該貫通孔を中心とする扇形に形成された凹部を有し、
当該凹部は、
上記貫通孔に嵌め合わされた上記主円筒部が上記軸方向を回転中心として回動されることにより上記係止リブと係合し且つ当該係止リブが当該軸方向にスライドすることを規制するシート部を構成している釣用ウキ。
【請求項２】
上記凹部は、上記主円筒部が上記軸方向を回転中心として略９０°回動されるように形成されている請求項１に記載の釣用ウキ。
【請求項３】
上記摘み部は、
上記主円筒部の下端部が平板状に扁平されることにより構成されている請求項１又は２に記載の釣用ウキ。
【請求項４】
上記係止リブの上端側角部に面取加工が施されている請求項１から３のいずれかに記載の釣用ウキ。
【請求項５】
上記係止リブの下端側角部に面取加工が施されている請求項１から４のいずれかに記載の釣用ウキ。
【請求項６】
上記筒状嵌合軸は、
上記主円筒部の上端に連続して上記軸方向に延びると共に上記径方向に突出する突片が形成された弾性変形可能な案内円筒部を有し、
上記ウキ本体は、
上記貫通孔に連続して当該貫通孔から径方向に延びるように形成され且つ当該貫通孔を中心とする扇形に形成された係合凹部を有し、
上記貫通孔に嵌め合わされた上記主円筒部が上記軸方向を回転中心として回動されたときに上記突片と衝突する爪部が上記係合凹部を区画する壁面に設けられている請求項１から５のいずれかに記載の釣用ウキ。
【請求項７】
上記案内円筒部の外径は上記主円筒部の外径よりも小さく、両者の境界に段部が形成されており、
上記貫通孔のうち上記案内円筒部が挿入される部分は、当該案内円筒部の外径に対応して縮径されている請求項６に記載の釣用ウキ。
【請求項８】
上記突片が突出する方向と直交する方向に切り込まれた切込溝が上記案内円筒部を貫通するように設けられている請求項６又は７に記載の釣用ウキ。
【発明の詳細な説明】
【技術分野】
【０００１】
本発明は、釣りに用いられるウキの構造に関するものである。
【背景技術】
【０００２】
釣りのジャンルに「ウキ釣り」というものがある。図１８は、一般的なウキ釣りの仕掛けを示す模式図である。ウキ釣りでは、中通しタイプのウキが使用されることが多い（例えば、特許文献１〜特許文献６参照）。
【０００３】
中通しタイプのウキ１は、一般に略紡錘形に形成されている。ウキ１の中心軸に沿ってライン挿通孔が設けられている。釣竿２に沿って案内されたライン３は、ウキ１のライン挿通孔に挿通される。ライン３の先端にハリス５が連結される。ライン３とハリス５とは直接に結びつけられる場合もあるが、同図では、両者間に「サルカン」と称される連結具４が介在されている。ハリス５の先端に針６が結び付けられている。ライン３の所定位置には、ウキ止具７が取り付けられている。このウキ止具７は、針６、ハリス５及びライン３等がその自重によって水中に潜行していくことによって、相対的にウキ１に接近する。ウキ止具７がウキ１に当接するとライン３に対するウキ１の相対的移動が規制され、水中における針６の位置（俗に「タナ」と称される。）が設定される。
【０００４】
ところで、実釣においては、釣り場の状況（風、波、潮流等）に応じてウキの重量（すなわち水中での浮力）や外形形状の大きさが変更される場合がある。つまり、ウキ１が他の種類のウキ（大きさや浮力が異なるウキ）に交換される場合がある。しかし、ウキ１は中通しタイプであるから、この種のウキ１が交換される場合には、釣人は、一旦ライン３を切断し、交換される他のウキに再びライン３を挿通しなければならない。したがって、釣人にとって、ウキの交換作業が繁雑であるという問題があった。この問題は、予め定められた時間内で釣果を競う競技会等においては特に重大であった。従来から、この問題を解決するため、ラインが切断されることなく当該ラインに着脱自在なウキが提案されている（特許文献７〜特許文献１１参照）。
【０００５】
【特許文献１】特開２００１−３０９７３９号公報
【特許文献２】特開２０００−２８７５９３号公報
【特許文献３】特開２０００−１２５７２９号公報
【特許文献４】特開２０００−６０３８３号公報
【特許文献５】特開平１１−１８６４７号公報
【特許文献６】特開２００５−１５１９７８号公報
【特許文献７】特開平１１−５６１８６号公報
【特許文献８】特開平９−９８３６号公報
【特許文献９】実開平６−５５３７０号公報
【特許文献１０】特開平７−２５５３４０号公報
【特許文献１１】特開２００２−２２３６８２号公報
【発明の開示】
【発明が解決しようとする課題】
【０００６】
ラインが切断されることなく交換可能なウキは、一般にウキ本体と、これに嵌め合わされる嵌合軸とを備えている。嵌合軸は中空パイプからなり、これに釣糸が挿通される。一方、ウキ本体は、軸方向に貫通形成された嵌合孔を有し、この嵌合孔に上記嵌合軸が嵌め込まれるようになっている。また、ウキ本体は、軸方向に伸びるスリットを備えており、このスリットは、ウキ本体の径方向（軸方向と直交する方向）に切り込まれ、上記嵌合孔に連通している（特許文献７及び特許文献８〜１１参照）。
【０００７】
しかしながら、従来のウキは、実釣においてウキ本体の着脱作業が容易であるとは言えなかった。具体的には、上記特許文献７に開示されたウキでは、釣人は、心棒(1) の鍔（12）を指の先端で挟みつつウキ本体(2) を回転させることにより、ウキ本体(2) と心棒(1) との螺合を解除しなければならないところ、上記鍔(12)が非常に小さいため、釣人は爪を立てて鍔(12)を摘む必要があり、そのため、ウキ本体(2) を心棒(1) に着脱する作業が非常に困難である。また、上記特許文献８〜特許文献１１に開示されたウキでは、嵌合軸がウキ本体にほぼ完全に埋設されるので、釣人にとって嵌合軸の着脱操作がきわめて困難である。しかも、これら嵌合軸にもスリットが設けられているので、釣糸が嵌合軸とウキ本体との間に食い込んでしまい、損傷を受けるおそれもあった。
【０００８】
そこで、本発明の目的は、釣糸を切断することなく容易且つ迅速に交換することができる中通しタイプの釣用ウキを提供することである。
【課題を解決するための手段】
【０００９】
(1) 上記目的が達成されるため、本発明に係る釣用ウキは、外周面と、中心を貫くように軸方向に沿って形成された貫通孔と、上記軸方向に延びると共に上記外周面から径方向に沿って上記貫通孔に連通するように切り込まれたスリットとを有するウキ本体、及び中心を貫くように軸方向に沿って形成された釣糸挿通孔を有し、上記ウキ本体の貫通孔に下方から挿脱される筒状嵌合軸を備える。当該筒状嵌合軸は、上記貫通孔に嵌め合わされる主円筒部と、当該主円筒部の下端に連続し、当該主円筒部が上記貫通孔に嵌め合わされた状態で上記ウキ本体の下端から突出すると共に釣人が指で容易に把持することができるように成形された摘み部と、上記主円筒部に径方向に突出するように設けられ、当該主円筒部が上記貫通孔に嵌め合わされたときに上記スリットにスライド可能な状態で挿入される係止リブとを有する。上記ウキ本体は、上記貫通孔及び上記スリットに連続して当該貫通孔から径方向に延び且つ当該貫通孔を中心とする扇形に形成された凹部を有する。当該凹部は、上記貫通孔に嵌め合わされた上記主円筒部が上記軸方向を回転中心として回動されることにより上記係止リブと係合し且つ当該係止リブが当該軸方向にスライドすることを規制するシート部を構成している。
【００１０】
釣人は、釣糸を筒状嵌合軸の釣糸挿通孔に挿通する。筒状嵌合軸は、常時釣糸と係合し、当該釣糸に沿ってスライド自在となる。この状態で、筒状嵌合軸よりも上方に位置する釣糸がウキ本体の外周面からスリット内に挿通される。このスリットは、ウキ本体の貫通孔に連通しているから、この釣糸は、上記スリットを通って上記貫通孔内に配置される。
【００１１】
次いで、釣人は、上記筒状嵌合軸を上記ウキ本体の下方から上記貫通孔に挿入する。これにより、この筒状嵌合軸の主円筒部が上記貫通孔に嵌め合わせられ、当該主円筒部に設けられた係止リブの位置は、上記ウキ本体に設けられた凹部の位置に合わせられる。このとき、上記主円筒部の下端に設けられた摘み部が上記ウキ本体から突出する。この摘み部は、釣人が指で容易に把持することができる。釣人がこの摘み部を把持して右方向又は左方向に回動させることにより、上記係止リブと上記凹部とが係合し、上記係止リブは上記軸方向へスライドすることができなくなる。すなわち、上記筒状嵌合軸は、上記貫通孔内に位置決めされ、上記ウキ本体から外れなくなる。このウキ本体に位置決めされた上記筒状嵌合軸に上記釣糸が挿通されているから、上記ウキ本体は、上記筒状嵌合軸と共に当該釣糸に装着され且つ当該釣糸に沿って自由にスライドすることができる。
【００１２】
この状態から、釣人は、上記摘み部を指で把持し、左方向又は右方向に回動させることができる。これにより、上記係止リブと上記凹部との係合が解除される。さらに、釣人は、上記摘み部を把持したまま上記筒状嵌合軸を下方へ引っ張ることができる。これにより、当該筒状嵌合軸は上記ウキ本体から抜脱される。この筒状嵌合軸よりも上方に位置する釣糸は、上記スリットを通って上記ウキ本体から簡単に引き出される。すなわち、釣糸が切断されることなくウキ本体が当該釣糸から取り外される。
【００１３】
(2) 上記凹部は、上記主円筒部が上記軸方向を回転中心として略９０°（ｄｅｇｒｅｅ）回動されるように形成されているのが好ましい。
【００１４】
この構成では、釣人にとって上記摘み部の操作が容易になる。換言すれば、上記係止リブと上記凹部とが係合するために、上記主円筒部が９０°より大幅に大きく回動しなければならないとすれば、釣人は手首を大きく捻らせなければならず、不便である。他方、上記係止リブと上記凹部とが係合するために、上記主円筒部が９０°より大幅に小さく回動するように設定されれば、釣人が上記係止リブと上記凹部との係合を確認することが困難となる。すなわち、上記主円筒部の回動角度は、９０°程度に設定されるのがもっとも操作性に優れる。
【００１５】
(3) 上記摘み部は、上記主円筒部の下端部が平板状に扁平されることにより構成されているのが好ましい。
【００１６】
この構成では、摘み部が主円筒部と一体的に簡単に形成され得るので、摘み部が安価に構成されるという利点がある。
【００１７】
(4) 上記係止リブの上端側角部に面取加工が施されているのが好ましい。
【００１８】
この構成では、釣人が上記筒状嵌合軸をウキ本体に嵌め込んだ際に、上記係止リブの上端側角部が上記凹部の内壁面と強く接触することが防止される。これにより、釣人は、上記筒状嵌合軸を円滑に回動させることができる。
【００１９】
(5) 上記係止リブの下端側角部に面取加工が施されているのが好ましい。
【００２０】
この構成では、釣人が上記筒状嵌合軸をウキ本体に嵌め込んだ際に、上記係止リブの下端側角部が上記凹部の内壁面と面接触することが防止され、両者は、線接触ないし点接触する。これにより、係止リブは、がたつくことなく確実に上記凹部に係合することができると共に、釣人は、上記筒状嵌合軸を円滑に回動させることができる。
【００２１】
(6) 上記筒状嵌合軸は、上記主円筒部の上端に連続して上記軸方向に延びると共に上記径方向に突出する突片が形成された弾性変形可能な案内円筒部を備えていてもよい。上記ウキ本体は、上記貫通孔に連続して当該貫通孔から径方向に延びるように形成され且つ当該貫通孔を中心とする扇形に形成された係合凹部を有し、上記貫通孔に嵌め合わされた上記主円筒部が上記軸方向を回転中心として回動されたときに上記突片と衝突する爪部が上記係合凹部を区画する壁面に設けられているのが好ましい。
【００２２】
この構成では、上記筒状嵌合軸がウキ本体に挿入される際に、上記案内円筒部が案内部材として機能する。したがって、釣人は、一層容易に上記筒状嵌合軸をウキ本体の貫通孔に嵌め込むことができる。上記筒状嵌合軸の主円筒部が上記貫通孔に嵌め合わせられると、上記突片の位置と上記係合凹部の位置とが一致する。さらに、釣人が前述のように上記摘み部を操作することによって、上記突片が上記係合凹部に設けられた爪部と衝突する。当該案内円筒部は弾性変形することができるので、上記爪部が弾性的に変形して上記突片が上記爪部を乗り越える。すなわち、釣人は、上記摘み部を操作する際にいわゆるクリック感を得られ、上記筒状嵌合軸と上記ウキ本体との係合を確認することができる。
【００２３】
(7) 上記案内円筒部の外径は上記主円筒部の外径よりも小さく、両者の境界に段部が形成されており、上記貫通孔のうち上記案内円筒部が挿入される部分は、当該案内円筒部の外径に対応して縮径されているのが好ましい。
【００２４】
この構成では、上記筒状嵌合軸が上記ウキ本体に嵌め込まれた際に、上記段部が上記貫通孔のうち縮径された部分に当接する。したがって、釣人は、当該縮径された部分に上記筒状嵌合軸が当接することを確認するだけで、上記筒状嵌合軸と上記ウキ本体との位置決めを正確に行うことができる。
【００２５】
(8) 上記突片が突出する方向と直交する方向に切り込まれた切込溝が上記案内円筒部を貫通するように設けられているのが好ましい。
【００２６】
この構成では、上記突片が上記爪部を乗り越える際に上記案内円筒部がより容易に弾性変形し、上記突片が上記爪部を乗り越えた直後に当該弾性変形が復帰される。したがって、釣人は、より円滑に筒状嵌合軸を回動させることができるし、クリック感をより確実に得られる。
【発明の効果】
【００２７】
本発明によれば、釣糸が挿通された筒状嵌合軸がウキ本体に嵌め込まれることにより釣用ウキが当該釣糸に装着され、また、上記筒状嵌合軸が上記ウキ本体から引き抜かれることによりウキ本体が当該釣糸から取り外され、他のウキ本体に交換され得る。すなわち、釣糸が切断されることなく釣用ウキを他の種類のウキに交換され得る。しかも、上記筒状嵌合軸は、上記ウキ本体に嵌め込まれた状態で確実にロックされるので、実釣において上記ウキ本体が釣糸から外れることはない。加えて、釣人は、容易に筒状嵌合軸を把持することができ、しかもこれを回動させるだけで簡単に筒状嵌合軸とウキ本体とのロックを解除することができる。したがって、釣人は、きわめて簡単且つ迅速に筒状嵌合軸をウキ本体から取り外すことができ、実釣において釣用ウキの交換を短時間で簡単に行うことができる。
【発明を実施するための最良の形態】
【００２８】
以下、適宜図面が参照されつつ、好ましい実施形態に基づいて本発明が詳細に説明される。
【００２９】
図１は、本発明の一実施形態に係る釣用ウキが用いられた釣用仕掛けの模式図である。
【００３０】
この釣用仕掛け１０は、いわゆるウキフカセ釣りに適用されるものである。この釣用仕掛け１０は、釣竿１１の釣糸ガイド１２に支持されたライン１３と、ライン１３に装着された釣用ウキ１４と、ライン１３の先端にサルカン１５を介して連結されたハリス１６と、ハリス１６に結びつけられた釣針１７とを有する。ライン１３の所定位置に浮止部材１８が設けられており、水面に浮かべられた釣用ウキ１４から釣針１７までの距離が設定されている。
【００３１】
本実施形態に係る釣用ウキ１４は、ウキ本体２０と、これに挿脱される嵌合軸２１（筒状嵌合軸）とを備えている。同図が示すように嵌合軸２１がウキ本体２０に下方から挿入されることによってウキ本体２０がライン１３に装着され、また、後述されるように、嵌合軸２１がウキ本体２０から抜脱されることによってウキ本体２０がライン１３から取り外されるようになっている。
【００３２】
図２は釣用ウキ１４の断面図である。また、図３は嵌合軸２１の正面図、図４は嵌合軸２１の右側面図、図５は嵌合軸２１の縦断面図である。さらに、図６は、図３におけるVI−VI  断面図、図７は、図３におけるVII−VII 断面図である。
【００３３】
図２が示すように、嵌合軸２１は、ウキ本体２０に設けられた貫通孔２２に嵌め込まれている。この嵌合軸２１は、矢印６９の方向すなわち嵌合軸２１の軸方向に沿ってウキ本体２０に対して挿脱されるようになっている。図３及び図５が示すように、嵌合軸２１は、円筒状の部材である。本実施形態では、この嵌合軸２１は、樹脂（典型的にはアクリロニトリルブタジエンスチレン共重合体（ＡＢＳ）、ポリプロピレン（ＰＰ）、ポリオキシメチレン（ＰＯＭ））から構成される。もっとも、嵌合軸２１を構成する材料は、樹脂のほか金属も採用され得る。嵌合軸２１は、釣糸挿通孔２３を備えている。上記ライン１３（図１参照）が、この釣糸挿通孔２３に挿通されるようになっている。釣糸挿通孔２３の内径寸法は、１．０ｍｍ〜３．０ｍｍの範囲で設定され得る。これにより、さまざまな線径のラインが釣糸挿通孔２３に挿通され得る。この釣糸挿通孔２３は、嵌合軸２１の中心を貫いており、嵌合軸２１の軸方向に沿って形成されている。
【００３４】
嵌合軸２１は、主円筒部２４と、摘み部２５と、係止リブ２６と、案内円筒部２７とを備えており、本実施形態では、これらが一体的に形成されている。
【００３５】
主円筒部２４は、所定の外径寸法ｄ１（図５参照）に設定されている。この寸法ｄ１は、上記ウキ本体２０に設けられた貫通孔２２（図２参照）の内径寸法に対応されており、両者間に所定のはめあい公差が設定されている。本実施形態では、上記貫通孔２２の内径寸法は５．０ｍｍに設定され、一方、主円筒部２４の外径寸法ｄ１は、５．０ｍｍに設定されている。すなわち、主円筒部２４はウキ本体２０の貫通孔２２に押し込まれ、主円筒部２４とウキ本体２０との間に一定の摩擦力が発生する。したがって、常時において嵌合軸２１は、一定の保持力でウキ本体２０に保持される。釣人が意図的に嵌合軸２１をウキ本体２０に対して挿入し、あるいは抜き取るときは、釣人は、上記摩擦力を超える力で嵌合軸２１を操作することにより、嵌合軸２１を挿脱することができる。
【００３６】
図２が示すように、摘み部２５は、主円筒部２４の下端に設けられている。この摘み部２５は、嵌合軸２１に挿入された状態でウキ本体２１から突出する。すなわち、上記主円筒部２４が上記貫通孔２２に完全に嵌め込まれた状態で、摘み部２５は、ウキ本体２１の下端から下方に突出する。この摘み部２５の外形形状は、図２の状態において釣人が親指と人差し指で容易且つ確実に摘むことができるように成形されている。具体的には、この摘み部２５は、主円筒部２４の下端部が平板状に扁平され、団扇状に成形されることにより構成されている。すなわち、この摘み部２５は、両側に平面部２８，２９（図４参照）を備えており、釣人は、この平面部２８，２９を指で挟むことにより、嵌合軸２１を簡単に操作することができるようになっている。
【００３７】
図３、図５及び図６が示すように、係止リブ２６は、主円筒部２４に突設されている。具体的には、係止リブ２６は、主円筒部２４の外周面の上端に設けられており、主円筒部２４の径方向に突出している。係止リブ２６は、平板状部材である。係止リブ２６の肉厚は、所定の肉厚寸法ｔ（図４参照）に設定されている。本実施形態では、この肉厚寸法ｔは、１．２ｍｍ〜１．８ｍｍの範囲で設定され得る。ただし、この肉厚寸法ｔは、ウキ本体２０に設けられたスリット３２の幅寸法ｄ２（図８参照）に対応されている。本実施形態では、このスリット３２の幅寸法ｄ２は、１．２ｍｍ〜２．０ｍｍであり、上記肉厚寸法ｔよりも若干大きく設定される。主円筒部２４が上記貫通孔２２に嵌め込まれたときは、係止リブ２６は、上記スリット３２に挿入される。そして、スリット３２の幅寸法ｄ２が係止リブ２６の肉厚寸法ｔよりも若干大きく設定されているから、嵌合軸２１がウキ本体２０に対して相対的に移動すると、係止リブ２６もスリット３２内をスライドする。
【００３８】
図３ないし図５が示すように、係止リブ２６の上端側角部３０は面取加工が施されている。また、係止リブ２６の下端側角部３１も面取加工が施されている。具体的には、両者はいわゆるＣ面加工が施されている。もっとも、これらは、湾曲面に形成されていてもよい。上記上端側角部３０及び下端側角部３１に面取加工が施されることによる作用効果については後述される。
【００３９】
案内円筒部２７は、上記主円筒部２４の上端に延設され、当該主円筒部２４と一体的に形成されている。この案内円筒部２７は上記主円筒部２４と同様に樹脂から構成されるので、容易に弾性変形することができる。この案内円筒部２７の中心を貫くように軸方向に貫通孔が設けられている。この貫通孔は、上記主円筒部２４を貫通する釣糸挿通孔２３と連通している。案内円筒部２７は、所定の外径寸法ｄ３に設定されている。この寸法ｄ３は、上記ウキ本体２０に設けられた貫通孔２２の内径寸法に対応されており、両者間に所定のはめあい公差が設定されている。
【００４０】
本実施形態では、上記案内円筒部２７の外形寸法ｄ３は、４．０ｍｍに設定されている。このため、主円筒部２４と案内円筒部２７との境界に段部３４が形成されている。これに対応して、上記貫通孔２２の中間部位３５が縮径されている（図２参照）。すなわち、貫通孔２２のうち上記中間部位３５よりも上側部分３６（案内円筒部２７が挿入される部分）の内径寸法は４．０ｍｍに設定されている。したがって、案内円筒部２７が上記貫通孔２２の上側部分３６に挿入された状態で両者間に一定の摩擦力が発生し、常時において、案内円筒部２７は、一定の保持力でウキ本体２０に保持される。前述のように、上記主円筒部２４も上記貫通孔２２に嵌め込まれることにより、主円筒部２４とウキ本体２０との間に一定の摩擦力が発生するから、釣人が意図的に嵌合軸２１をウキ本体２０に対して挿入し、あるいは抜き取るときは、釣人は、これら摩擦力を超える力で嵌合軸２１を操作することにより、嵌合軸２１を挿脱することができる。
【００４１】
図３ないし図５及び図７が示すように、この案内円筒部２７は、突片３３を備えている。この突片３３は、案内円筒部２７と一体的に形成されている。この突片３３は薄肉の板状に形成され、案内円筒部２７の径方向に突出している。言い換えれば、この突片３３は、その肉厚寸法ａだけ案内円筒部２７の径方向に突出しており（図５参照）、当該寸法ａは、０．５ｍｍ〜１．５ｍｍに設定され得る。
【００４２】
案内円筒部２７は、切込溝３７を備えている。この切込溝３７は、案内円筒部２７の軸方向に延び且つ案内円筒部２７の径方向に貫通形成されている。特に、この切込溝３７は、上記突片３３が突出する方向に対して直交する方向に上記案内円筒部２７に切り込まれている。この切込溝３７が設けられることによる作用効果については後述される。なお、この切込溝３７が省略されていてもよいことは勿論である。
【００４３】
図８は、ウキ本体２０の平面図である。図９は、図８におけるIX−IX断面図、図１０は、図８におけるX−X  断面図である。また、図１１は、図９におけるXI−XI 断面図であり、図１２は、図９におけるXII−XII 断面図である。
嵌
【００４４】
図８ないし図１０が示すように、ウキ本体２０は、略紡錘形に形成されている。ウキ本体２０を構成する材料は、木材のほか樹脂（典型的にはアクリロニトリルブタジエンスチレン共重合体（ＡＢＳ）、ポリプロピレン（ＰＰ）、ポリオキシメチレン（ＰＯＭ））が採用される。ウキ本体２０は、上記貫通孔２２を備えている。この貫通孔２２は、ウキ本体２０の上端３８から下端３９に通ずるようにウキ本体２０の軸方向に延びており、ウキ本体２０の中心を貫いている。後述されるが、この貫通孔２２に連続して、ウキ本体２０の内部に凹部４２及び係合凹部４３が形成されている。
【００４５】
図９及び図１０が示すように、ウキ本体２０は、上部本体４０と下部本体４１とを有しており、これらが上下方向に嵌め合わせられることにより組み立てられている。このようにウキ本体２０が分割されているのは、ウキ本体２０の製造を容易にするためである。すなわち、前述のように、ウキ本体２０は、貫通孔２２のみならず当該貫通孔２２に連続する凹部４２及び係合凹部４３を備えているので、ウキ本体２０が予め分割されることにより、凹部４２及び係合凹部４３の加工が容易になり、ウキ本体２０の製造が簡単になる。
【００４６】
上部本体４０と下部本体４１とは、分割線４４にて分割されている。本実施形態に係るウキ本体２０では、図９及び図１０が示すように、分割線４４が屈曲されている。このため、上部本体４０の下面４８の外縁部に上方へ窪んだ凹条４５が形成され、一方、下部本体４１の上面４９の外縁部に上方へ突出する凸条４６が形成される。そして、凹条４５と凸条４６とが嵌め合わされることによって、上部本体４０の下面４８と下部本体４１の上面４９とが合致され、上記分割線４４で接合されたウキ本体２０が組み立てられる。
【００４７】
なお、本実施形態では、図１０が示すように、下部本体４１の上面４９に位置決めピン５０が立設されている。また、上部本体４２の下面４８に係合孔５１が設けられている。そして、位置決めピン５０は、係合孔５１に嵌合するようになっており、両者が嵌合した状態で上部本体４０と下部本体４１とが合致するようになっている。つまり、位置決めピン５０と係合孔５１とが嵌め合わされることによって上部本体４０と下部本体４１とが位置あわせされ、ウキ本体２０が正確に組み立てられるようになっている。もっとも、意義決めピン５０及び係合孔５１は省略されていてもよい。
【００４８】
ウキ本体２０は、上記スリット３２を備えている（図８及び図９参照）。このスリット３２は、ウキ本体２０の軸方向に延び、ウキ本体２０の上端３８から下端３９に達している。また、このスリット３２は、ウキ本体２０の外周面４７から径方向に切り込まれており、上記貫通孔２２に連通している。前述のように、スリット３２の幅寸法ｄ２は、１．２ｍｍ〜２．０ｍｍの範囲に設定されるのが好ましい。
【００４９】
図９及び図１０が示すように、貫通孔２２は、ウキ本体２０を上下に貫通している。前述のように、この貫通孔２２は、中間部位３５において縮径されている。貫通孔２２の中間部位３５よりも下方、すなわち貫通孔２２の下側部分５２の内径は、上記上側部分３６の内径よりも大きく設定されている。
【００５０】
図９及び図１１が示すように、上記中間部位３５から下方に貫通孔２２に連続して上記凹部４２が形成されている。この凹部４２は、ウキ本体２０の内部に設けられており、貫通孔２２を中心とした扇形に形成されている。すなわち、凹部４２は、上記スリット３２及び貫通孔２２に連続しており、径方向に延びると共に当該貫通孔２２を中心として円弧状に延びている。本実施形態では、この凹部４２が形成する扇形の中心角は９０°（ｄｅｇｒｅｅ）に設定されている。もっとも、この中心角は、９０°に限定されるものではなく、４５°〜１８０°の範囲で設定される。ただし、この中心角は、略９０°程度に設定されるのが好ましい。
【００５１】
図９が示すように、この凹部４２を構成する壁面５３は、傾斜面５４及び傾斜面５５を備えている。この傾斜面５４は、上記嵌合軸２１の上端側角部３０（図３参照）の傾斜角度に対応されている。また、上記傾斜面５５は、上記嵌合軸２１の下端側角部３１（図３参照）の傾斜角度に対応されている。したがって、凹部４２は、上記係止リブ２６（図３参照）が嵌め合わされることができる形状に形成されている。
【００５２】
図９及び図１２が示すように、上記中間部位３５から上方に貫通孔２２に連続して上記係合凹部４３が形成されている。この係合凹部４３は、上記凹部４２（図１１参照）に連続して、当該凹部４２の上方に設けられている。この係合凹部４３もウキ本体２０の内部に設けられており、貫通孔２２を中心とした扇形に形成されている。すなわち、この係合凹部４３は、上記貫通孔２２の上側部分３６に連続しており、径方向に延びると共に当該上側部分３６を中心として円弧状に延びている。本実施形態では、この係合凹部４３が形成する扇形の中心角は、上記凹部４２と同様に９０°（ｄｅｇｒｅｅ）に設定されている。もっとも、この中心角は、９０°に限定されるものではなく、４５°〜１８０°の範囲で設定される。ただし、この中心角は、略９０°程度に設定されるのが好ましい。
【００５３】
係合凹部４３を構成する壁面５６に爪部５７が突設されている。この爪部５７は、貫通孔２２の長手方向（ウキ本体２０の軸方向）に延びる突条からなり、図１２が示すように、貫通孔３３の上側部分３６の中心に向かって突出している。上記嵌合軸２１の案内円筒部２７（図３参照）は、上記上側部分３６に嵌め込まれるから、その状態で嵌合軸２１が回転されると、上記案内円筒部２７に設けられた突片３３は、上記爪部５７と衝突することになる。突片３３と爪部５７とが衝突することによる作用効果については、後述される。
【００５４】
本実施形態に係る釣用ウキ１４は、実釣において次のように使用され、釣人は、ウキ本体２０を簡単に交換することができる。
【００５５】
釣用ウキ１４は、次の要領でライン１３に装着される。まず、釣人は、ライン１３を嵌合軸２１の釣糸挿通孔２３に挿通する（図１及び図３参照）。これにより、嵌合軸２１は、常時ライン１３と係合し、当該ライン１３に沿って自由にスライドすることができる。釣人は、嵌合軸２１よりも上方に位置するライン１３をウキ本体２１に挿入する。具体的には、釣人は、ライン１３を手に持ち、これをウキ本体２１のスリット３２（図９参照）を通じてウキ本体２０の外周面４７から貫通孔２２まで挿入する。つまり、ライン１３は、上記スリット３２を通って貫通孔２２内に配置される。
【００５６】
釣人は、この嵌合軸２１をウキ本体２０の下方から貫通孔２２に挿入する。つまり、嵌合軸２１は、案内円筒部２７からウキ本体２０に押し込まれる。このとき、主円筒部２４に設けられた係止リブ２６は、上記スリット３２に嵌り込み、当該スリット３２に沿ってスライドする。これにより、嵌合軸２１の案内円筒部２７が貫通孔２２の上側部分３６と嵌合し、嵌合軸２１の主円筒部２４が貫通孔２２の下側部分５２に嵌め合わせられる。この状態で、嵌合軸２１に設けられた係止リブ２６の位置とウキ本体２０に設けられた凹部４２の位置とが合致すると共に、主円筒部２４の下端に設けられた摘み部２５がウキ本体２０の下端３９から突出する（図２参照）。
【００５７】
図１３は、嵌合軸２１がウキ本体２０に挿入された状態における係止リブ２６と凹部４２との相対的位置関係及び突片３３と係合凹部４３との相対的位置関係を示す図である。また、図１４は、嵌合軸２１が回動された状態における係止リブ２６と凹部４２との相対的位置関係及び突片３３と係合凹部４３との相対的位置関係を示す図である。
【００５８】
上記摘み部２５は扁平されており、平面部２８，２９を備えていることから、釣人は、摘み部２５を指で容易に把持することができる。嵌合軸２１が単にウキ本体２０に挿入された状態では、図１３（ａ）及び（ｂ）が示すように、係止リブ２６及び突片３３は、共にスリット３２内に配置されている。
【００５９】
釣人は、上記摘み部２５を把持して右方向に９０°だけ回動させることができる。図１４（ｂ）が示すように、係止リブ２６が凹部４２内に進入し、両者が嵌合する。嵌合軸２１が軸方向へスライドしようとした場合には、係止リブ２６の上端側角部３０及び下端側角部３１が凹部４２の傾斜面５４及び傾斜面５５（図９参照）と当接するので、係止リブ２６は軸方向へスライドすることが規制される（図２参照）。すなわち、上記凹部４２は、係止リブ２６を支持するシート部として機能する。このため、嵌合軸２１は、ウキ本体２０の貫通孔２２内に位置決めされ、ウキ本体２０から外れなくなる。この嵌合軸２１に上記ライン１３が挿通されているから、ウキ本体２０は、嵌合軸２１と共にライン１３に装着され且つ当該ライン１３に沿って自由にスライドすることができる。
【００６０】
また、釣用ウキ１４がライン１３に装着されている状態から、釣人は、上記摘み部２５を指で把持し、左方向に回動させることができる。これにより、上記係止リブ２６と上記凹部４２との係合が解除され、上記係止リブ２６及び突片３３が上記スリット３２内に配置される（図１３参照）。釣人は、摘み部２５を把持したまま嵌合軸２１を下方へ引っ張ることができ、これにより、嵌合軸２１はウキ本体２０から抜き取られる。この嵌合軸２１よりも上方に位置するライン１３は、上記スリットを通ってウキ本体２０から簡単に引き出される。すなわち、ライン１３が切断されることなくウキ本体２０が当該ライン１３から取り外され、釣人は、所望の他のウキ本体と交換することができる。
【００６１】
このように、本実施形態に係る釣用ウキ１４によれば、釣人は、嵌合軸２１をウキ本体２０に挿入し抜脱することにより、ライン１３を切断することなくウキ本体を交換することができる。しかも、釣人が意図的に嵌合軸２１を操作しない限り、嵌合軸２１はウキ本体２０に嵌め込まれた状態で確実にロックされるので、実釣においてウキ本体２０がライン１３から容易に外れることはない。加えて、嵌合軸２１は釣人にとって操作し易い形状であるから、釣人は、実釣においてウキの交換を短時間で簡単に行うことができる。
【００６２】
本実施形態では、上記凹部４２は、嵌合軸２１の主円筒部２４が軸方向を回転中心として９０°回動されるように形成されている。すなわち、釣人は、嵌合軸２１を操作する際に、当該嵌合軸２１を貫通孔２２を回転中心として９０°回転させればよいから、釣人にとって上記摘み部２５の操作がきわめて容易である。仮に、嵌合軸２１が９０°より大幅に大きく（例えば１８０°よりも大きく）回動しなければならないとすれば、釣人は手首を大きく捻らせなければならず、不便である。また、仮に、嵌合軸２１が９０°より大幅に小さく（例えば４５°よりも小さく）回動するように設定されれば、釣人は、上記係止リブ２６と上記凹部４２との係合を確認することが困難となる。これに対し、本実施形態では、嵌合軸２１が９０°回転されるので、釣人にとっては、上記係止リブ２６が上記スリット３２に対して直交するまで嵌合軸２１を回転させればよい。すなわち、嵌合軸２１の回転角度が９０°程度に設定されるのがもっとも操作性に優れる。
【００６３】
また、上記摘み部２５は、嵌合軸２１の主円筒部２４の下端部が平板状に扁平されることにより構成されているから、当該摘み部２５が主円筒部２４と一体的に簡単に形成され得る。これにより、摘み部２５が安価に構成される、ひいては釣用ウキ１４の製造コストが低減される。
【００６４】
さらに、上記係止リブ２６の上端側角部３０に面取加工が施されているから（図２参照）、釣人が嵌合軸２１をウキ本体２０に嵌め込んだ際に、係止リブ２６の上端側角部３０が上記凹部４２の内壁面と強く接触することが防止される。なぜなら、嵌合軸２１の自重により、上端側角部３０と上記凹部４２の傾斜面５４（図９参照）とは互いに離反する傾向にあるからである。このため、釣人は、嵌合軸２１を円滑に回動させることができるという利点がある。なお、上記係止リブ２６の上端側角部３０と上記凹部４２を構成する傾斜面５４との間に若干の隙間が形成されるように、当該傾斜面５４又は上端側角部３０が成形されてもよい。
【００６５】
また、上記係止リブ２６の下端側角部３１にも面取加工が施されることにより（図２参照）、釣人が嵌合軸２１をウキ本体２０に嵌め込んだ際に、係止リブ２６の下端側角部３１が凹部４２の内壁面と面接触することが防止され得る。換言すれば、係止リブ２６の下端側角部３１は、凹部４２の傾斜面５５と線接触ないし点接触するように 面取加工され得る。これにより、係止リブ２６は、がたつくことなく確実に凹部４２と係合し、しかも凹部４２に対して円滑にスライドすることができる。その結果、釣人は、嵌合軸２１をより円滑に操作することができる。
【００６６】
加えて、本実施形態では、嵌合軸２１がウキ本体２０に挿入される際に、案内円筒部２７が案内部材として機能する。したがって、釣人は、一層容易に嵌合軸２１をウキ本体２０の貫通孔２２に嵌め込むことができる。嵌合軸２１の主円筒部２４が貫通孔２２に嵌め合わせられると、上記突片３３の位置と上記係合凹部４３の位置とが一致する。そして、釣人が前述のように上記摘み部２５を操作することによって、図１４（ａ）が示すように、上記突片３３が上記係合凹部４３に設けられた爪部５７と衝突する。ここで、嵌合軸２１は樹脂からなり、案内円筒部２７は弾性変形することができるので、上記突片３３と上記爪部５７とが衝突することにより、この爪部５７が弾性的に変形して上記突片３３が当該爪部５７を乗り越える。すなわち、釣人は、上記摘み部２５を操作する際にいわゆるクリック感が得られ、嵌合軸２１とウキ本体２０とが嵌め合わされたことを確認することができるという利点がある。
【００６７】
また、本実施形態では、嵌合軸２１に上記段部３４が形成され、これに対応して上記貫通孔２２の中間部位３５が縮径されている。このため、嵌合軸２１がウキ本体２０に嵌め込まれた際に、図２が示すように上記段部３４が上記貫通孔２２の中間部位３５に当接する。したがって、釣人は、当該中間部位３５に嵌合軸２１が当接することを確認するだけで、嵌合軸２１とウキ本体２０との位置決めを正確に行うことができ、両者の当接を確認するだけで、嵌合軸２１を簡単に回動させることができる。
【００６８】
さらに、上記案内筒状部２７は、上記切込溝３７を備えている。前述のように、この切込溝３７は、上記突片３３の突出方向に直交する方向に貫通しているから、上記突片３３が上記爪部５７を乗り越える際に上記案内円筒部２７がより容易に弾性変形する。つまり、爪部５７と突片３３とが衝突したときに、その衝撃を緩和するように案内円筒部２７が変形し、上記突片３３が上記爪部５７を乗り越えた直後に、当該弾性変形が直ちに復帰される。したがって、釣人は、より円滑に嵌合軸２１を回動させることができるし、クリック感を確実に得られるという利点がある。
【００６９】
本実施形態では、ウキ本体２０の製造上の便宜のため、ウキ本体２０が上部本体４０と下部本体４１とから構成され、両者が嵌め合わされることによりウキ本体２０が組み立てられるようになっている。しかし、ウキ本体２０が樹脂により一体的に形成されていてもよいことは勿論である。また、ウキ本体２０は、図１５が示すような構造を備えていてもよい。
【００７０】
図１５は、上記実施形態の変形例に係るウキ本体６０の平面図であり、図１６及び図１７は、それぞれ、図１５におけるXVI−XVI断面図 及びXVII−XVII断面図である。
【００７１】
このウキ本体６０は、上記実施形態に係るウキ本体２０と同様の外形形状を有し、貫通孔２２及びスリット３２を備えている。また、ウキ本体６０は、上記ウキ本体２０と同様に、上部本体６１及び下部本体６２を備えており、これらが嵌め合わされることによってウキ本体６０が組み立てられている。
【００７２】
このウキ本体６０が上記ウキ本体２０と異なるところは、上記ウキ本体２０では、上部本体４０及び下部本体４１が無垢材から構成されているのに対し（図９及び図１０参照）、このウキ本体６０を構成する上部本体６１及び下部本体６２が中空の器状に形成されている点である。このように上部本体６１及び下部本体６２が中空構造を備えるので、これら上部本体６１及び下部本体６２は、樹脂による射出成形により簡単に構成され得る。その結果、ウキ本体６０の大量生産が可能であり、釣用ウキ１０が安価に提供されるという利点がある。
【００７３】
具体的には、上部本体６１は外殻部６３と内軸部６４とを備えている。これらは一体的に形成されている。上部本体６１の肉厚寸法は、これを構成する樹脂の強度によって異なるが、１ｍｍ〜３ｍｍ程度に設定され得る。外殻部６３は略半球殻状に形成されており、外殻部６３の外形形状は、上記実施形態に係るウキ本体２０の上部本体４０の外形形状と同様である。内軸部６４は、円筒状に形成されており、図１７が示すように、外殻部６３の内側の中心に設けられ、下方に（下部本体６２側に）突出している。この内軸部６４の内壁面によって上記貫通孔２２の上側部分３６が構成されている。そして、上記実施形態に係るウキ本体２０と同様に、上記上側部分３６に連続して係合凹部４３が設けられ、当該係合凹部４３の壁面５６に爪部５７が形成されている。また、上部本体６１は、外周面４７から径方向に切り込まれた溝６５を有し、この溝６５が上記スリット３２の一部を構成している。
【００７４】
下部本体６２は、外殻部６６と内軸部６７とを備えている。これらは、上部本体６１と同様に一体的に形成されている。下部本体６２の肉厚寸法は、上部本体６１と同様に１ｍｍ〜３ｍｍ程度に設定され得る。外殻部６６は略漏斗状に形成されており、外殻部６６の外形形状は、上記実施形態に係るウキ本体２０の下部本体４１の外形形状と同様である。内軸部６７は、円筒状に形成されており、図１７が示すように、外殻部６６の内側の中心に設けられ、上方に（上部本体６１側に）突出している。この内軸部６７の内壁面によって上記貫通孔２２の下側部分５２が構成されている。そして、上記実施形態に係るウキ本体２０と同様に、上記下側部分５２に連続して凹部４２が設けられている。また、下部本体６２は、外周面４７から径方向に切り込まれた溝６８を有し、この溝６８が上記スリット３２の一部を構成している。
【００７５】
図１６及び図１７が示すように、上部本体６１は、下部本体６２と上下方向に（軸方向に）嵌め合わされる。これにより、上部本体６１の外周面４７と下部本体６２の外周面が滑らかに連続し、略紡錘形のウキ本体６０が形成される。また、本変形例では、上記外殻部６３及び外殻部６６の互いに対向する面にいわゆるあいじゃくり構造が設けられている。これにより、上部本体６１と下部本体６２とが位置決めされた状態で嵌め合わされる。さらに、外殻部６３と外殻部６６とが嵌合された状態で、内軸部６４も内軸部６７と嵌め合わされるようになっている。なお、内軸部６４及び内軸部６７の互いに対向する面にもあいじゃくり構造が設けられており、これにより、内軸部６４と内軸部６７とが位置決め状態で確実に接合される。
【００７６】
このように、上部本体６１と下部本体６２とが嵌め合わされることにより、上記溝６５及び溝６８が軸方向に連続して上記スリット３２が構成されると共に、内軸部６４と内軸部６７とが接合されて上記貫通孔３２が構成される。このウキ本体６０に上記嵌合軸２１が挿脱されることにより、釣人は、ウキ本体６０をライン１３に容易に着脱することができる。
【産業上の利用可能性】
【００７７】
本発明は、ウキ釣りに使用されるウキに適用され得る。
【図面の簡単な説明】
【００７８】
【図１】図１は、本発明の一実施形態に係る釣用ウキが用いられた釣用仕掛けの模式図である。
【図２】図２は、本発明の一実施形態に係る釣用ウキの断面図である。
【図３】図３は、本発明の一実施形態に係る釣用ウキの嵌合軸の正面図である。
【図４】図４は、本発明の一実施形態に係る嵌合軸の右側面図である。
【図５】図５は、本発明の一実施形態に係る嵌合軸の縦断面図である。
【図６】図６は、図３におけるVI−VI  断面図である。
【図７】図７は、図３におけるVII−VII 断面図である。
【図８】図８は、本発明の一実施形態に係る釣用ウキのウキ本体の平面図である。
【図９】図９は、図８におけるIX−IX断面図である。
【図１０】図１０は、図８におけるX−X  断面図である。
【図１１】図１１は、図９におけるXI−XI 断面図である。
【図１２】図１２は、図９におけるXII−XII 断面図である。
【図１３】図１３は、本発明の一実施形態に係る嵌合軸がウキ本体に挿入された状態における係止リブと凹部との相対的位置関係及び本発明の一実施形態に係る突片と係合凹部との相対的位置関係を示す図である。
【図１４】図１４は、本発明の一実施形態に係る嵌合軸が回動された状態における係止リブと凹部との相対的位置関係及び本発明の一実施形態に係る突片と係合凹部との相対的位置関係を示す図である。
【図１５】図１５は、本発明の一実施形態の変形例に係るウキ本体の平面図である。
【図１６】図１６は、図１５におけるXVI−XVI断面図である。
【図１７】図１７は、図１５におけるXVII−XVII断面図である。
【図１８】図１８は、従来の一般的なウキ釣りの仕掛けを示す模式図である。
【符号の説明】
【００７９】
１０・・・釣用仕掛け
１３・・・ライン
１４・・・釣用ウキ
２０・・・ウキ本体
２１・・・嵌合軸
２２・・・貫通孔
２３・・・釣糸挿通孔
２４・・・主円筒部
２５・・・摘み部
２６・・・係止リブ
２７・・・案内円筒部
２８・・・平面部
２９・・・平面部
３０・・・上端側角部
３１・・・下端側角部
３２・・・スリット
３３・・・突片
３４・・・段部
３５・・・中間部位
３６・・・上側部分
３９・・・ウキ本体の下端
３７・・・切込溝
４２・・・凹部
４３・・・係合凹部
４７・・・外周面
５２・・・下側部分
５７・・・爪部
６０・・・ウキ本体
【図１】
2008125473.tif 000003
【図２】
2008125473.tif 000004
【図３】
2008125473.tif 000005
【図４】
2008125473.tif 000006
【図５】
2008125473.tif 000007
【図６】
2008125473.tif 000008
【図７】
2008125473.tif 000009
【図８】
2008125473.tif 000010
【図９】
2008125473.tif 000011
【図１０】
2008125473.tif 000012
【図１１】
2008125473.tif 000013
【図１２】
2008125473.tif 000014
【図１３】
2008125473.tif 000015
【図１４】
2008125473.tif 000016
【図１５】
2008125473.tif 000017
【図１６】
2008125473.tif 000018
【図１７】
2008125473.tif 000019
【図１８】
2008125473.tif 000020